(57)【要約】      （修正有）【課題】使用時、手元操作管と延長管に間隙が生じず、指が給電端子部に触れるおそれがなく安全で、構造が簡単な電気掃除機の付属品の接続構造、電気掃除機、ホース、吸込口体および延長管を提供する。【解決手段】延長管５には、テーパ嵌合面をもった挿入部５１が設けられ、手元操作管４には、テーパ嵌合面をもった内筒面４１が設けられ、挿入部の外周には、凹凸係合部および円周方向に平行な複数の第１の端子部５３が設けられ、内筒面には、凹凸係合部と凹凸結合する凹凸係合部および第１の端子部に接続し、円周方向に平行な複数の第２の端子部４３が設けられ、挿入部と内筒面がテーパ嵌合され、両凹凸係合部は凹凸係合され、第１の端子部は第２の端子部に接続される構成を備える。【選択図】図３
2011200315.tif 000002
【特許請求の範囲】
【請求項１】
吸込口体が連なる延長管と、この延長管が接続され、一端に手元操作管が設けられたホースとを備え、
前記延長管には、テーパ嵌合面をもった挿入部が設けられ、
前記手元操作管には、テーパ嵌合面をもった内筒面が設けられ、
前記挿入部の外周には、凹凸係合部および円周方向に平行な複数の第１の端子部が設けられ、
前記内筒面には、前記凹凸係合部と凹凸結合する凹凸係合部および前記第１の端子部に接続し、円周方向に平行な複数の第２の端子部が設けられ、
前記挿入部と前記内筒面がテーパ嵌合され、前記両凹凸係合部は凹凸係合され、
前記第１の端子部は前記第２の端子部に接続されることを特徴とする電気掃除機の付属品の接続構造。
【請求項２】
前記両凹凸係合部は、前記挿入部及び前記内筒面に螺旋状に設けられることを特徴とする請求項１に記載の電気掃除機の付属品の接続構造。
【請求項３】
前記両凹凸係合部は、前記挿入部及び前記内筒面に、軸方向に直線状に伸びていることを特徴とする請求項１に記載の電気掃除機の付属品の接続構造。
【請求項４】
前記内筒面に設けられた凹凸係合部は、凸条であり、この凹凸係合部を挟んで前記第２の端子部が配置されることを特徴とする請求項１ないし３のいずれか１項に記載の電気掃除機の付属品の接続構造。
【請求項５】
前記内筒面に設けられた第２の端子部は、表面を露出して前記内筒面に埋設されていることを特徴とする請求項１ないし４のいずれか１項に記載の電気掃除機の付属品の接続構造。
【請求項６】
請求項１ないし５のいずれか１項に記載の電気掃除機の付属品の接続構造が用いられることを特徴とする電気掃除機。
【請求項７】
一端に手元操作管が設けられ、この手元操作管にはテーパ嵌合面をもった内筒面が設けられ、この内筒面には凹凸係合部および円周方向に平行な複数の端子部が設けられることを特徴とする電気掃除機の付属品の接続構造に用いるホース。
【請求項８】
テーパ嵌合面をもった挿入部が設けられ、この挿入部の外周には凹凸係合部および円周方向に平行な複数の端子部が設けられることを特徴とする電気掃除機の付属品の接続構造に用いる吸込口体。
【請求項９】
少なくとも一端にはテーパ嵌合面をもった内筒面が設けられ、この内筒面には凹凸係合部および円周方向に平行な複数の端子部が設けられることを特徴とする電気掃除機の付属品の接続構造に用いる延長管。
【請求項１０】
少なくとも一端にはテーパ嵌合面をもった挿入部が設けられ、この挿入部の外周には凹凸係合部および円周方向に平行な複数の端子部が設けられることを特徴とする電気掃除機の付属品の接続構造に用いる延長管。
【発明の詳細な説明】
【技術分野】
【０００１】
本発明は電気掃除機の付属品の接続構造、電気掃除機、ホース、吸込口体に係り、特に構造および電気接点板の配置を改良した電気掃除機の付属品の接続構造、この接続構造を用いた電気掃除機、接続構造に用いるホース、吸込口体および延長管に関する。
【背景技術】
【０００２】
この種の電気掃除機は、集塵手段を備えた掃除機本体と、この掃除機本体の前部に形成されたホース接続口に一端が着脱可能に接続された集塵ホースと、この集塵ホースの他端に接続され、設定ボタンおよび把手部を備えた手元操作管と、この手元操作管に着脱自在に接続された延長管と、この延長管の先端に着脱自在に接続された吸込口体とを備える。
【０００３】
そして、手元操作管と延長管の接続構造は、受け側となる手元操作管に、テーパ嵌合面を有しない内筒面を形成し、給電端子部を内設し、さらに、延長管の挿入部をクランプするクランプ機構が設けられ、一方、受け側となる延長管に、内筒面に挿入されるテーパ嵌合面を有しない挿入部を形成し、内筒面に挿入される挿入部を形成し、直線状に伸びる受電端子部を突設し、クランプ機構の一部が設けられている。
【０００４】
従って、手元操作管と延長管の接続は、手元操作管の内筒面に延長管の挿入部を直線状に挿入すると同時に、給電端子部に受電端子部を挿入し、クランプ機構で手元操作管に延長管をクランプすることで行なわれている。
【０００５】
しかしながら、このような接続構造では、電気掃除機の使用中、何らかの原因で手元操作管と延長管に曲げモーメントが働くと、両パイプ間に間隙が生じ、この間隙に指が入って、給電端子部に触れるおそれがあった。
【０００６】
そこで、手元操作管のテーパ嵌合面を有しない内筒面に延長管のテーパ嵌合面を有しない挿入部を挿入する接続構造において、給電端子部が露出する挿入側の端面に直線状の給電端子部を囲うように凸部を設け、内筒面より外側に位置させ受け側端面の内筒面に接する範囲は全周同一平面として、直線状の受電端子部の外側に凸部が嵌合する凹部を設け、着脱時の安全性を確保しながら、嵌合受け側の耐久性を向上させた接続構造が提案されている（例えば、特許文献１参照）。
【０００７】
なお、嵌合部を小型化し、凹形状の嵌合部を簡単な金型構造で成型できる接続構造が提案されている（例えば、特許文献２参照）。
【先行技術文献】
【特許文献】
【０００８】
【特許文献１】特開平５−２８５０８０号公報
【特許文献２】特開平５−２８５０８１号公報
【発明の概要】
【発明が解決しようとする課題】
【０００９】
しかしながら、特許文献１に記載の接続構造は、手元操作管のテーパ嵌合面を有しない内筒面に延長管のテーパ嵌合面を有しない挿入部を挿入する接続構造において、給電端子部が露出する挿入側の端面に給電端子部を囲うように凸部を設け、内筒面より外側に位置させ受け側端面の内筒面に接する範囲は全周同一平面として、受電端子部の外側に凸部が嵌合する凹部を設けるものであり、凸部や全周同一平面を設けるため、さらに、手元操作管と延長管がテーパ嵌合でないため、クランプ機構を必要とし、構造が複雑になる問題がある。
【００１０】
また、特許文献２に記載の接続構造も、手元操作管と延長管がテーパ嵌合でないため、クランプ機構を必要とし、構造が複雑になり、さらに、給電端子部と受電端子部についての配慮がなされていない。
【００１１】
本発明は、このような点に鑑みなされたもので、使用時、手元操作管と延長管に間隙が生じず、指が給電端子部に触れるおそれがなく安全で、構造が簡単な電気掃除機の付属品の接続構造を提供することを目的とする。
【００１２】
また、使用時、手元操作管と延長管に間隙が生じず、指が給電端子部に触れるおそれがなく安全で、構造が簡単な電気掃除機を提供することを目的とする。
【００１３】
また、使用時、手元操作管と延長管に間隙が生じず、指が給電端子部に触れるおそれがなく安全で、構造が簡単な電気掃除機のホースを提供することを目的とする。
【００１４】
また、使用時、手元操作管と延長管に間隙が生じず、指が給電端子部に触れるおそれがなく安全で、構造が簡単な電気掃除機の吸込口体を提供することを目的とする。
【００１５】
また、使用時、手元操作管と延長管に間隙が生じず、指が給電端子部に触れるおそれがなく安全で、構造が簡単な電気掃除機の延長管を提供することを目的とする。
【課題を解決するための手段】
【００１６】
上述した目的を達成するため、本発明に係る電気掃除機の付属品の接続構造は、吸込口体が連なる延長管と、この延長管が接続され、一端に手元操作管が設けられたホースとを備え、前記延長管には、テーパ嵌合面をもった挿入部が設けられ、前記手元操作管には、テーパ嵌合面をもった内筒面が設けられ、前記挿入部の外周には、凹凸係合部および円周方向に平行な複数の第１の端子部が設けられ、前記内筒面には、前記凹凸係合部と凹凸結合する凹凸係合部および前記第１の端子部に接続し、円周方向に平行な複数の第２の端子部が設けられ、前記挿入部と前記内筒面がテーパ嵌合され、前記両凹凸係合部は凹凸係合され、前記第１の端子部は前記第２の端子部に接続されることを特徴とする。
【００１７】
また、本発明に係る電気掃除機は、請求項１ないし５のいずれか１項に記載の電気掃除機の付属品の接続構造が用いられる。
【００１８】
また、本発明に係る電気掃除機の付属品の接続構造に用いるホースは、一端に手元操作管が設けられ、この手元操作管にはテーパ嵌合面をもった内筒面が設けられ、この内筒面には凹凸係合部および円周方向に平行な複数の端子部が設けられることを特徴とする。
【００１９】
また、本発明に係る電気掃除機の付属品の接続構造に用いる吸込口体は、延長管にはテーパ嵌合面をもった挿入部が設けられ、この挿入部の外周には凹凸係合部および円周方向に平行な複数の端子部が設けられることを特徴とする。
【００２０】
また、本発明に係る電気掃除機の付属品の接続構造に用いる延長管は、少なくとも一端にはテーパ嵌合面をもった内筒面が設けられ、この内筒面には凹凸係合部および円周方向に平行な複数の端子部が設けられることを特徴とする。
【００２１】
また、本発明に係る電気掃除機の付属品の接続構造に用いる延長管は、少なくとも一端にはテーパ嵌合面をもった挿入部が設けられ、この挿入部の外周には凹凸係合部および円周方向に平行な複数の端子部が設けられることを特徴とする。
【発明の効果】
【００２２】
本発明に係る電気掃除機の付属品の接続構造によれば、使用時、手元操作管と延長管に間隙が生じず、指が給電端子部に触れるおそれがなく安全で、構造が簡単な電気掃除機の付属品の接続構造を提供することができる。
【００２３】
また、本発明に係る電気掃除機によれば、使用時、手元操作管と延長管に間隙が生じず、指が給電端子部に触れるおそれがなく安全で、構造が簡単な電気掃除機を提供することができる。
【００２４】
また、本発明に係る電気掃除機の付属品の接続構造に用いるホースによれば、使用時、手元操作管と延長管に間隙が生じず、指が給電端子部に触れるおそれがなく安全で、構造が簡単な電気掃除機の接続構造に用いるホースを提供することができる。
【００２５】
また、本発明に係る電気掃除機の付属品の接続構造に用いる吸込口体によれば、使用時、手元操作管と延長管に間隙が生じず、指が給電端子部に触れるおそれがなく安全で、構造が簡単な電気掃除機の接続構造に用いる吸込口体を提供することができる。
【００２６】
また、本発明に係る電気掃除機の付属品の接続構造に用いる延長管によれば、使用時、手元操作管と延長管に間隙が生じず、指が給電端子部に触れるおそれがなく安全で、構造が簡単な電気掃除機の接続構造に用いる延長管を提供することができる。
【図面の簡単な説明】
【００２７】
【図１】本発明の一実施形態に係る電気掃除機の斜視図。
【図２】本発明の第１実施形態に係る電気掃除機の付属品の接続構造の吸込口体の概念図。
【図３】本発明の第１実施形態に係る電気掃除機の付属品の接続構造の接続時の一部断面を示す側面図で、（ａ）は吸込口体が連なる延長管の一部、（ｂ）はホースに設ける手元操作管の一部。
【図４】本発明の第１実施形態に係る電気掃除機の付属品の接続構造に用いる吸込口体が連なる延長管の一部の斜視図。
【図５】本発明の第１実施形態に係る電気掃除機の付属品の接続構造に用いるホースに設ける手元操作管の一部の斜視図。
【図６】本発明の第１実施形態に係る電気掃除機の付属品の接続構造の一部を示す断面図。
【図７】本発明の第２実施形態に係る電気掃除機の付属品の接続構造の接続時の一部断面を示す側面図で、（ａ）は吸込口体が連なる延長管の一部を、（ｂ）はホースに設ける手元操作管の一部を、それぞれ示す。
【発明を実施するための形態】
【００２８】
本発明の第１実施形態に係る電気掃除機の付属品の接続構造、この接続構造を用いた電気掃除機、接続構造に用いるホース、吸込口体および延長管について図面を参照して説明する。
【００２９】
図１に示すように、本第１実施形態に係る電気掃除機１は、掃除機本体２と、この掃除機本体２の前部に形成されたホース接続口２ａに一端が着脱可能に接続されたホース３と、このホース３の他端に接続され、設定ボタン４ａおよび把手部４ｂを備えた手元操作管４と、この手元操作管４に着脱自在に接続された延長管５と、この延長管５の先端に連なる床ブラシである吸込口体６とを備える。
【００３０】
この吸込口体６は、吸込口体本体としての横長のケース体６ａと、このケース体６ａの後部に設けられた接続管６ｂを介して一体的に延長管５に連なっている。
【００３１】
掃除機本体２の内部には、ホース３に連通し、いずれも図示しない、第１の塵埃除去手段と高速で流れる空気中に含まれる塵埃を重力差で分離する高速分離方式を採用し、第２の塵埃除去手段として、プリーツフィルタとから構成される集塵ユニットを備えた集塵室７と、この集塵室７に吸込負圧を作用させる電動送風機８とが設けられる。
【００３２】
図２に示すように、吸込口体６のケース体６ａには、駆動手段としてのモータ１０と、このモータ１０により回転される回転清掃体１１と、この回転清掃体１１の両端部に位置するとともに、この回転清掃体１１と一体的に回転自在な垂直駆動車輪１２、１２および斜め車輪１３、１３と、回転清掃体１１の安全スイッチとなる安全装置１４と、回路基板（図示せず）がそれぞれ設けられる。
【００３３】
モータ１０、安全装置１４および回路基板には、配線１５、１６（図３参照）を介して給電される。
【００３４】
上記のような電気掃除機１において、吸込口体６延長管５との接続および延長管５とホース３とのそれぞれの接続は、本発明に係る電気掃除機の付属品の接続構造（以下、単に接続構造という）を用いて行なわれる。
【００３５】
先ず、延長管５とホース３との接続構造について説明する。
【００３６】
図３〜図６に示すように、本接続構造２０は、ホース３に設けられた手元操作管４と、延長管５に連なる吸込口体６とを備える。
【００３７】
延長管５には、先細になるようにテーパ嵌合面をもった挿入部５１が設けられ、この挿入部５１の外周には、凹凸係合部、例えば始端５２ａが挿入部５１の先端に位置し、終端５２ｂが挿入部５１の中間に位置するする凹溝５２が螺旋状（斜め円弧状）に設けられ、円周方向に平行な複数の第１の端子部５３、５３（受電側端子部）が、凹溝５２を挟むようにして設けられている。
【００３８】
第１の端子部５３、５３は、外周からわずかに突出して設けられている。
【００３９】
一方、手元操作管４には、先太になるようにテーパ嵌合面をもった内筒面４１が設けられ、この内筒面４１には、凹凸係合部である凹溝５２と凹凸結合する凹凸係合部、例えば始端４２ａが内筒面４１の先端に位置し、終端４２ｂが内筒面４１内に位置する凸条４２が螺旋状（斜め円弧状）に設けられ、さらに、第１の端子部５３、５３に接続し、円周方向に平行な複数の第２の端子部（給電端子部）４３、４３が凸条４２を挟むようにして設けられている。
【００４０】
第２の端子部４３、４３は、内筒面４１に設けられた端子収容溝４４、４４に収容され、その表面は露出し、かつ内筒面４１より低くなるように、埋設されている。
【００４１】
なお、上記テーパの傾きは、手元操作管４、延長管５の強度および嵌合強度を考慮すると３／７０程度が好ましい。
【００４２】
また、吸込口体６と延長管５との接続構造については、吸込口体６は先に説明した延長管５と同様な構造を備え、他方、延長管５は先に説明した手元操作管４と同様の構造を備えるので説明を省略する。このことから本実施形態に係る延長管５は、手元操作管４と接続端部に挿入側の接続構造を備え、吸込口体６との接続端部に被挿入側の接続構造を備えるが、いずれか一方の接続構造を備えるものでも良い。
【００４３】
次に、本接続構造２０を用いた吸込口体６と延長管５との接続方法および延長管５とホース３との接続方法について説明する。なお説明は、延長管５とホース３との接続方法についてのみ説明し、吸込口体６と延長管５との接続方法は同様な方法によるので説明を省略する。
【００４４】
図３に示すように、ホース３に設けられた手元操作管４と、延長管５に連なる吸込口体６とを対向させ、内筒面４１の始端４２ａと挿入部５１の先端に位置する始端５２ａを係合させた後、手元操作管４あるいは延長管５の一方を回転させながら嵌合させる。
【００４５】
これにより、凸条４２と凹溝５２は係合し、凸条４２は凹溝５２にガイドされて凹溝５２内を進み、始端５２ａが終端４２ｂに当接し、それ以上の手元操作管４、延長管５の前進と回転はできず、延長管５は内筒面４１の所定の位置に止まる。
【００４６】
一方、手元操作管４にはテーパ嵌合面をもった内筒面４１が設けられ、延長管５にはテーパ嵌合面をもった挿入部５１が設けられているので、内筒面４１と挿入部５１は強固にテーパ嵌合し、吸込口体６とホース３は強固に接続される。
【００４７】
また、凸条４２と凹溝５２の係合により、延長管５が内筒面４１の所定の位置に止まるので、第１の端子部５３、５３と第２の端子部４３、４３が、電気的に確実に接続され、ホース３側から延長管５側への給電が可能となる。
【００４８】
また、電気掃除機１の使用時、手元操作管４は押される（前進）状態で使用される場合が多く、さらに、内筒面４１と挿入部５１がテーパ嵌合し、内筒面４１が先太になるようなテーパ面をなすので、手元操作管４が押される毎に嵌合力が強化され、挿入部５１が内筒面４１から外れることがない。また、テーパ嵌合に加えて、螺旋状の凸条４２と螺旋状の凹凸係合であるので、一層挿入部５１が内筒面４１から外れることがない。
【００４９】
さらに、内筒面４１に設けられた凹凸係合部は凸条であり、この凸条４２を挟んで第２の端子部４３、４３が配置されるので、この第２の端子部４３、４３間での短絡を防止できる。
【００５０】
本第１実施形態に係る電気掃除機の付属品の接続構造によれば、使用時、手元操作管と延長管に間隙が生じず、指が給電端子部に触れるおそれがなく安全で、構造が簡単な電気掃除機の付属品の接続構造が実現される。
【００５１】
また、本実施形態の電気掃除機によれば、使用時、手元操作管と延長管に間隙が生じず、指が給電端子部に触れるおそれがなく安全で、構造が簡単な電気掃除機が実現される。
【００５２】
また、本第１実施形態に係る電気掃除機の付属品の接続構造に用いるホースによれば、使用時、手元操作管と延長管に間隙が生じず、指が給電端子部に触れるおそれがなく安全で、構造が簡単な電気掃除機の接続構造に用いるホースが実現される。
【００５３】
また、本第１実施形態に係る電気掃除機の付属品の接続構造に用いる吸込口体によれば、使用時、手元操作管と延長管に間隙が生じず、指が給電端子部に触れるおそれがなく安全で、構造が簡単な電気掃除機の接続構造に用いる吸込口体が実現される。
【００５４】
また、本第１実施形態に係る電気掃除機の付属品の接続構造に用いる延長管によれば、使用時、手元操作管と延長管に間隙が生じず、指が給電端子部に触れるおそれがなく安全で、構造が簡単な電気掃除機の接続構造に用いる延長管が実現される。
【００５５】
また、第２実施形態に係る電気掃除機の付属品の接続構造について説明する。
【００５６】
第１実施形態は内筒面に螺旋状の凸条が設けられ、挿入部に螺旋状の凹溝が設けられるのに対して、本第２実施形態は内筒面に直線状の凸条が設けられ、挿入部に直線状の凹溝が設けられる。
【００５７】
例えば、図７に示すように、第２実施形態に係る電気掃除機の付属品の接続構造２０ｓは、ホース３に設けられた手元操作管４と、延長管５に連なる吸込口体６とを備える。
【００５８】
延長管５には、テーパ嵌合面をもった挿入部５１が設けられ、この挿入部５１の外周には、この外周から端部から中間部に伸びる凹溝５２ｓが直線状に設けられ、平行な複数の第１の端子部５３、５３が、凹溝５２ｓを挟むようにして設けられている。
【００５９】
一方、手元操作管４には、テーパ嵌合面をもった内筒面４１が設けられ、この内筒面４１には、凹溝５２ｓと略同じ長さの凸条４２ｓが直線状に設けられ、さらに、平行な複数の第２の端子部４３、４３が凸条４２ｓを挟むようにして設けられている。
【００６０】
これにより、凹溝５２ｓと凸条４２ｓを凹凸係合し、内筒面４１と挿入部５１をテーパ嵌合することで、吸込口体６とホース３は強固に接続され、延長管５が内筒面４１の所定の位置に止まるので、第１の端子部５３、５３と第２の端子部４３、４３が、電気的に接続され、ホース３側から延長管５側への確実な給電が可能となる。
【００６１】
なお、他の構成は図３に示す電気掃除機の付属品の接続構造と変わらないので、同一部分には同一符号を付して説明は省略する。
【符号の説明】
【００６２】
１  電気掃除機
２  掃除機本体
２ａ  ホース接続口
３  ホース
４  手元操作管
４ａ  設定ボタン
４ｂ  把手部
５  延長管
６  吸込口体
６ａ  ケース体
６ｂ  接続管
７  集塵室
８  電動送風機
１０  モータ
１１  回転清掃体
１２  垂直駆動車輪
１３  斜め車輪
１４  安全装置
１５、１６  配線
２０  接続構造
４１  内筒面
４２  凸条
４２ａ  始端
４４  端子収容溝
５１  挿入部
５２  凹溝
５２ａ  始端
５２ｂ  終端
５３  第１の端子部
【図１】
2011200315.tif 000003
【図２】
2011200315.tif 000004
【図３】
2011200315.tif 000005
【図４】
2011200315.tif 000006
【図５】
2011200315.tif 000007
【図６】
2011200315.tif 000008
【図７】
2011200315.tif 000009